(57)【要約】【課題】複数の大容量メインコンデンサをカメラボディ内に効率良く配置、接続することができるカメラを提供する。【解決手段】コンデンサの長手方向に対し、それぞれ平行に配置された複数のコンデンサ１０、１１と、この複数のコンデンサを含むカメラ構成部品を内蔵するためのカメラ外装筐体１とを具備するカメラにおいて、上記カメラ外装筐体１は傾斜面７を有し、上記複数のコンデンサにおける各々の一端面が上記傾斜面の内壁に沿うように段差をもって配置されていることを特徴とする。【選択図】　図２
2004020609.tif 000002
【特許請求の範囲】
【請求項１】
コンデンサの長手方向に対し、それぞれ平行に配置された複数のコンデンサと、
上記複数のコンデンサを含むカメラ構成部品を内蔵するためのカメラ外装筐体と、
を具備するカメラにおいて、
上記カメラ外装筐体は傾斜面を有し、上記複数のコンデンサにおける各々の一端面が上記傾斜面の内壁に沿うように段差をもって配置されていることを特徴とするカメラ。
【請求項２】
上記複数のコンデンサは、互いに長手方向の長さが異なっていることを特徴とする請求項１に記載のカメラ。
【請求項３】
上記複数のコンデンサの他端面は、同一面上に配置されていることを特徴とする請求項１に記載のカメラ。
【請求項４】
上記複数のコンデンサは、上記内壁に沿って配置されたフレキシブルプリント基板により互いに接続されていることを特徴とする請求項１に記載のカメラ。
【発明の詳細な説明】
【０００１】
【発明の属する技術分野】
本発明は、内蔵ストロボを有するカメラ、詳しくは、内蔵される複数の大容量のストロボ用コンデンサを効率的に配置、接続するカメラに関する。
【０００２】
【従来の技術】
周知のように、近年、多機能化に伴ってカメラの高性能化が進み、その結果、搭載される電気回路が複雑化し、また、ストロボを有するカメラに内蔵されるストロボ用メインコンデンサも高輝度のストロボが得られるように大容量化が進んでいる。
【０００３】
一方で、ストロボ用コンデンサを内蔵するカメラボディ筐体自体は小型化が進んでいるため、コンデンサの大容量化が進むと、それに伴ってコンデンサの体積も大きくなってしまうので、小型化されたカメラに大容量のコンデンサを搭載することが困難になるといった問題があった。
【０００４】
そこで、特開平７−２２５４２２号公報には、大容量のコンデンサをカメラ内に効率良く配置する方法として、２個のコンデンサを用い、一方のコンデンサをフィルム巻取用スプール内の中空部に配置すると共に、他方のコンデンサをスプール室壁に沿って配置することで、省スペースに大容量のコンデンサを搭載できるようにした発明が提案されている。
【０００５】
【発明が解決しようとする課題】
しかしながら、上記特開平７−２２５４２２号公報に提案されている発明においては、コンデンサをスプール内の中空部に配置しているため、コンデンサの大容量化に伴いコンデンサが大型化するとスプール軸が太くなってしまい、結果的にスプール室が大きくなってしまうので、かえってカメラの大型化につながってしまう虞がある。
【０００６】
本発明の目的は上記問題点に鑑みてなされたものであり、複数の大容量メインコンデンサをカメラボディ内に効率良く配置、接続することができるカメラを提供するにある。
【０００７】
【課題を解決するための手段、及び作用】
上記の目的を達成するために本発明によるカメラは、コンデンサの長手方向に対し、それぞれ平行に配置された複数のコンデンサと、上記複数のコンデンサを含むカメラ構成部品を内蔵するためのカメラ外装筐体とを具備するカメラにおいて、上記カメラ外装筐体は傾斜面を有し、上記複数のコンデンサにおける各々の一端面が上記傾斜面の内壁に沿うように段差をもって配置されていることを特徴とし、また、上記複数のコンデンサは、互いに長手方向の長さが異なっていることを特徴とし、さらに、上記複数のコンデンサの他端面は、同一面上に配置されていることを特徴とし、また、上記複数のコンデンサは、上記内壁に沿って配置されたフレキシブルプリント基板により互いに接続されていることを特徴とする。
【０００８】
【発明の実施の形態】
以下、図面を参照して本発明の実施の形態を説明する。
図１は、本発明の一実施の形態におけるカメラの前方右斜め上方からみた斜視図である。この図１に示すように、カメラ本体をなすカメラ外装筐体１の前面中央部には、被写体を撮像するための撮影光学系を有するレンズ鏡筒２が配設されており、この上方には、被写体を光学的に観察するためのファインダ窓４が配設されており、さらに、前記レンズ鏡筒２の左斜め上方には、被写体を測距するためのＡＦ用窓３が配設されている。
【０００９】
また、前記カメラ外装筐体１の前面右側上部には、被写体を照射するためのストロボ発光窓５が配設されており、さらに、カメラ外装筐体１の上面左側には、撮影を開始させるためのレリーズ釦６が配設されている。
【００１０】
尚、本実施形態における前記カメラ外装筐体１は、カメラの小型化、およびデザインの向上を図るため、前面と上面とを結合する稜線部分を、前面に向けて湾曲する曲面からなる傾斜面７で形成されている。
【００１１】
この傾斜面７を有したカメラ外装筐体１に、例えば２個のストロボ用大容量コンデンサを配置するには、図２に示すように配置される。図２は、ストロボ用コンデンサの配置位置を示したものであって、上記図１に示すカメラ外装筐体１のＩＩ−ＩＩ’線に沿う縦断面図である。
【００１２】
図２に示すように、２個のコンデンサは長さの異なる円柱状に形成されたストロボ用大容量コンデンサ（以下、コンデンサと称す）１０，１１からなり、カメラ外装筐体１の前面右側（図１参照）の外装壁５０に対向する位置であって、該コンデンサ１０，１１における各々の一端面（上端面）が上記傾斜面７の内壁に沿うように段差をもって配置されている。そして、上記コンデンサ１０、１１は、その上面から突出する電気接続用リード端子１３，１４がフレキシブルプリント基板（以下、ＦＰＣと称す）１２により接続されている。
【００１３】
即ち、上記一方のコンデンサ１０は、その長さが上記他方のコンデンサ１１よりも短い形状に形成され、その上端面が上記カメラ外装筐体１に形成された傾斜面７に対向する位置であって、長手方向の側面の一部が前面内壁に近接する位置に配置される。つまり、このコンデンサ１０は、上記位置に配設される形状に形成されている。また、一端面（上端面）には、上記リード端子１３が長手方向に延出するように形成されている。
【００１４】
上記他方のコンデンサ１１は、その長さが前記一方のコンデンサ１０よりも長く形成されていて、コンデンサ１０の長手方向に対して平行な位置に、上記コンデンサ１０、１１各々の他端面（下端面）が同一平面状となるように隣接して配置されている。このように、上記コンデンサ１１と前記コンデンサ１０とが隣接して配置されることにより、省スペース化が図られている。また、前記コンデンサ１１の一端面（上端面）には、上記リード端子１４が長手方向に延出するように形成されている。
【００１５】
尚、上記コンデンサ１０，１１はカメラ外装筐体１に内蔵されたストロボ回路（図示されず）に接続され、ストロボのメインコンデンサとして図示しない発光放電管に高電圧を印加するための電圧を供給するものである。
【００１６】
次に、前記コンデンサ１０と前記コンデンサ１１のリード端子１３，１４を接続する手段について説明すると、図３は、各コンデンサ１０，１１の接続状態を示した拡大斜視図であり、図４は、コンデンサ接続用ＦＰＣの拡大正面図である。
【００１７】
図３に示すように、上記コンデンサ１０、１１は、その各々の他端面（下端面）が同一平面となるよう長手方向に対して平行な位置に隣接して配置され、その結果、段差をもって配置されている各々の一端面（上端面）のリード端子１３，１４を前記ＦＰＣ１２によって接続されるように構成される。
【００１８】
ここで、前記ＦＰＣ１２は、図４に示すように、該ＦＰＣ１２の表面から背面に貫通するように形成された後述するコンデンサのリード端子用の挿通孔１５，１６と、該挿通孔１５，１６の周縁部に上記コンデンサ１０、１１のリード端子１３、１４を接続するために前記ＦＰＣ１２の表面に形成された上記リード端子用半田ランド１９、２０と、上記ＦＰＣ１２の表面に形成されていて、ストロボ回路接続用のリードワイヤー２５が接続される半田ランド１７と、この半田ランド１７および上記半田ランド１９と２０をそれぞれ接続する導電パターン１８を有している。尚、上記ストロボ回路接続用半田ランド１７と、上記リード端子用半田ランド１９、２０は、前記ＦＰＣ１２のカバーレイフィルムを開口して露出した銅箔に防錆処理、半田メッキ等の所定の各種処理を施したものである。
【００１９】
図３に戻って、上記コンデンサ１０と上記コンデンサ１１は、各々に形成された前記リード端子１３，１４を上記ＦＰＣ１２の前記挿通孔１５、１６に貫通させ、さらに、上記ＦＰＣ１２の表面上に形成された半田ランド１９、２０に半田付けすることにより、互いに電気的にパラレルに接続される。また、上記コンデンサ１０と上記コンデンサ１１は、前述したように長手方向に対して前記コンデンサ１１の方が長く形成され、かつ該コンデンサ１０と該コンデンサ１１は長手方向に対して隣接して並設されているので、該コンデンサ同士を接続するＦＰＣ１２は、上記コンデンサ１１と１２の段差に添う形状に形成されている。そして、上記ＦＰＣ１２の上記半田ランド１７は、上記リードワイヤー２５が接続され、該リードワイヤー２５によって、図示しないストロボ回路に接続されるようになっている。
【００２０】
このように構成された本発明の一実施の形態におけるカメラは、カメラ外装筐体１の小型化を実現するため、上記傾斜面７を有するような曲面状の形状に形成しても、使用するストロボ用大容量コンデンサに長さの異なる２つのコンデンサ１０，１１を用い、該コンデンサ１０、１１の一端面が上記傾斜面７の内壁に沿うように段差をもって配置し、かつ、カメラ外装筐体の外壁内面に近接する位置に両者を隣接して設置することができるので、大容量の上記コンデンサ１０、１１をカメラ外装筐体１内に効率良く配置することができる。
【００２１】
さらに、上記コンデンサ１０、１１をパラレル接続するについて、上記ＦＰＣ１２で接続するので、カメラ組み立て工程において、先に２つのコンデンサ１０、１１を上記ＦＰＣ１２で接続してからカメラ内に組み付けることができるので、上記リード端子１３，１４へのストレスを抑えることができ、作業効率の向上、および作業工程の簡素化を行うことができる。
【００２２】
尚、本発明の実施形態においては、上記コンデンサ１０、１１はストロボ用コンデンサとして説明したが、これに限らず、ファインダ内のＡＦ合焦確認用ＬＥＤ、ストロボ充電確認用ＬＥＤ、セルフタイマー用のＬＥＤ等の発光素子に用いる電源用コンデンサに適用しても良いこと勿論であり、また、コンデンサの形状も円柱形状だけでなく、多角形状を有する多角柱であっても良いことは云うまでもない。
【００２３】
さらに、上記コンデンサ１０、１１は、その一端面（上端面）のリード端子１３，１４を上記ＦＰＣ１２で接続するとしたが、これに限らず、図５に示すように、両コンデンサ３０，３１の上下を反転し、該コンデンサ３０、３１の端面を同一面上となるように配置し、各々の一端面から延出したリード端子３３、３４をＦＰＣ３２で接続しても同様の効果が得られることは勿論である。また、ＦＰＣの代わりに硬質キバン（ＲＰＣ）を用いても良い。
【００２４】
【発明の効果】
以上説明したように本発明によれば、カメラ外装筐体内に複数のコンデンサを配置する際、ＦＰＣで該コンデンサを接続することにより、長手方向に自由度を持たせることができるため、外装壁に曲面形状を有する小型カメラへ効率良く配置することができ、カメラの小型化、高デザイン化を向上することができる。また、カメラ組み立て時の工程において、複数のコンデンサをＦＰＣで接続した後に、カメラボディに組み付けるため、コンデンサに形成されたリード端子へのストレスを軽減できるカメラを提供することができる。
【図面の簡単な説明】
【図１】本発明の一実施の形態におけるカメラの前方右斜め上方からみた斜視図、
【図２】図１に示すカメラ外装筐体１のＩＩ−ＩＩ’線に沿う縦断面図、
【図３】図２中のコンデンサの接続状態を示した拡大斜視図、
【図４】図２中のコンデンサ接続用ＦＰＣの拡大正面図、
【図５】本発明の一実施の形態の変形例を示した縦断面図。
【符号の説明】
１…カメラ外装筐体
７…傾斜面
１０、１１…ストロボ用大容量コンデンサ
１２…フレキシブルプリント基板（ＦＰＣ）
５０…カメラ外装壁
【図１】
2004020609.tif 000003
【図２】
2004020609.tif 000004
【図３】
2004020609.tif 000005
【図４】
2004020609.tif 000006
【図５】
2004020609.tif 000007